(57)【要約】      （修正有）【課題】ネックストラップの取付具に対する取付が精度良くかつ十分な取付しろで固定できる。【解決手段】全体として略コ形断面形状を有し、その上方に向く左右挟持片間を挟持溝２とし、底片の中央には紐通し孔３を貫通して形成し、前記紐通し孔３が開口する挟持溝２の内底面には凹部４を形成した金属又はプラスチック製の止め具１を有し、紐通し孔３に挿通され、かつ挿通端に結び目になるこぶ６ａを作り、これを引張ることで、こぶ６ａが止め具１の凹部４内に収容される携帯電話などのつなぎコード６と、止め具１の挟持溝２内に端部が挿通されて固定されるネックストラップと、を備える。【選択図】図３
0003114588.tif 000002
【実用新案登録請求の範囲】
【請求項１】
全体として略コ形断面形状を有し、その上方に向く左右挟持片間をネックストラップを挟み込む挟持溝とし、底片の中央にはつなぎコードを挿通する紐通し孔を貫通して形成したネックストラップ用止め具であって、
前記紐通し孔が開口する挟持溝の内底面には、つなぎコードのループ端に形成される結び目になるこぶを収容するための凹部を形成したことを特徴とするネックストラップ用止め具。
【請求項２】
前記止め具一側部の前記挟持片には前記挟持溝内に連通するネジなどの固定具挿通用の固定孔を形成したことを特徴とする請求項１記載のネックストラップ用止め具。
【請求項３】
全体として略コ形断面形状を有し、その上方に向く左右挟持片間を挟持溝とし、底片の中央には紐通し孔を貫通して形成し、前記紐通し孔が開口する挟持溝の内底面には凹部を形成した金属又はプラスチック製の止め具と、
前記紐通し孔に挿通され、かつ挿通端に結び目になるこぶを作り、これを引張ることで、前記こぶが前記止め具の凹部内に収容される携帯電話などのつなぎコードと、
前記止め具の挟持溝内に端部が挿通されて固定されるネックストラップと、を備えたことを特徴とする携帯電話などのネックストラップ具。
【考案の詳細な説明】
【技術分野】
【０００１】
本考案は、携帯電話などを首から下げるために用いて好適なネックストラップ具及び該ネックストラップ具を構成するネックストラップとつなぎコードのコネクターとして用いる止め具に関するものである。
【背景技術】
【０００２】
周知のように携帯電話などの携帯機器では、ネックストラップを介して首にかけ、胸の内ポケットなどに携帯機器を納め、紛失防止用としている。
【０００３】
このネックストラップは、全体がある幅を持った平織テープ状をなしているのに対し、携帯機器の取付端は細孔となっているため、この部分に対する取付は所謂「松葉」と称する細いつなぎコードを介して行っている。
【０００４】
このため、ネックストラップとつなぎコードとの間を接続するコネクタとして、図４に示す止め具ａを用いている。
【０００５】
この止め具ａは金属成形体からなり、一端にネックストラップｂの幅にほぼ等しい挟持溝ａ１を形成し、他端側につなぎコードを挿通し、かつ前記挟持溝ａ１に連通する紐通し孔ａ２を形成したものであり、この止め具ａに対するつなぎコードｃ並びにネックストラップｂの連結方法は、つぎのようになっている。
【０００６】
まず、ループ状をしたつなぎコードｃを前記紐通し孔ａ２に挿通し、挟持溝ａ１側でこぶｃ１を作った状態でループ端を閉じることでつなぎコードｃの抜止めを行う。
【０００７】
次いでネックストラップｂの両端部を重ねた状態で挟持溝ａ１内に差込み、カシメ付やネジ止めなどにより溝内に固定することで、ネックストラップｂの端部も閉じるようになっている。
【考案の開示】
【考案が解決しようとする課題】
【０００８】
しかし、この構造であると、前記つなぎコードｃに形成されたこぶｃ１が挟持溝ａ１の内底面に突出し、ネックストラップｂの挿入先端と干渉するため、取付しろが少なくなり、その分抜けやすいとともに、こぶの突出に応じてネックストラップｂの先端が止め具ａに精度良く直線性をもってはめ込まれず、不安定なため、図示のごとく右または左に傾いて固定されてしまう場合があり、組立状態での見栄えが悪く、またこのために歩留り低下要因となっていた。
【０００９】
本考案は以上の課題を解決するものであり、その目的とするところは、ネックストラップの取付具に対する取付が精度良くかつ十分な取付しろで固定できるようにしたネックストラップ用取付具及び該取付具を用いたネックストラップ具を提供するものである。
【課題を解決するための手段】
【００１０】
前記目的を達成するため本考案は、図１〜３の実施の形態にも示すように、全体として略コ形断面形状を有し、その上方に向く左右挟持片１ａ，１ａ間をネックストラップ７を挟み込む挟持溝２とし、底片１ｂの中央にはつなぎコード６を挿通する紐通し孔３を貫通して形成したネックストラップ用止め具１であって、前記紐通し孔３が開口する挟持溝２の内底面には、つなぎコード６のループ端に形成される結び目になるこぶ６ａを収容するための凹部４を形成したことを特徴とする。
【００１１】
前記止め具１一側部の前記挟持片１ａには前記挟持溝２内に連通するネジなどの固定具８挿通用の固定孔５を形成している。
【００１２】
上記止め具１をコネクターとして有するネックストラップ具は、全体として略コ形断面形状を有し、その上方に向く左右挟持片１ａ，１ａ間を挟持溝２とし、底片１ｂの中央には紐通し孔３を貫通して形成し、前記紐通し孔３が開口する挟持溝２の内底面には凹部４を形成した金属又はプラスチック製の止め具１と、前記紐通し孔３に挿通され、かつ挿通端に結び目になるこぶ６ａを作り、これを引張ることで、前記こぶ６ａが前記止め具１の凹部４内に収容される携帯電話などのつなぎコード６と、前記止め具１の挟持溝２内に端部が挿通されて固定されるネックストラップ７と、を備えたことを特徴としている。
【考案の効果】
【００１３】
したがって本考案の止め具によれば、つなぎコードのこぶが凹部内に収納されて挟持溝内底面に突出することがないため、ネックストラップの取付しろを十分に確保できるとともに、こぶの干渉により曲った状態で差込まれることがなく、これによる見栄え低下や、歩留り低下を未然に防止できる。
【００１４】
請求項２の考案によれば、カシメ付けによらずネックストラップの確実な固定ができ、かつ固定具の頭部が取付具の側面に露出することによる特異な意匠効果をもたらすことができる。
【００１５】
請求項３記載のネックストラップによれば、取付具を挟んでネックストラップとつなぎコードが精度良く直線状に配列された形状となる。
【考案を実施するための最良の形態】
【００１６】
以下、本考案の最良の実施の形態につき、添付図面を用いて詳細に説明する。図１は本考案に係るネックストラップ用取付具の平面、底面、側面及び断面図、図２（ａ），（ｂ）は同取付具とネックストラップ及びつなぎコードとの関係を示す分解及び組立斜視図、図３（ａ），（ｂ），（ｃ）は同取付具に対するつなぎコードの連結手順を示す説明用断面図である。
【００１７】
図１において、取付具１は、全体として略コ形断面形状を有する扁平四角状の金属成形体であって、その上部中央の左右挟持片１ａ，１ａ間には、所定深さ及び幅の凹状の挟持溝２が形成されているとともに、下部の底片１ｂにはこれの中央を上下に貫通して前記挟持溝２に連通する紐通し孔３が形成されている。
紐通し孔３の上部開口にはこれの孔径より広く、かつ前記挟持溝２と同じ幅の凹部４が形成されている。さらに前記取付具１の一側面には前記挟持溝２内に連通する一対のネジ孔よりなる固定孔５が開口形成されている。
【００１８】
なお、取付具１の各角部はＲ面加工が施され、さらに外表面には、ロジウムメッキなどにより平滑化され、これによって成形体そのものがほぼ四角形状であっても、角部による傷つきを防止するとともに、柔らかな手触りを得られるようになっている。また特に前記紐通し孔３の下端周囲には図の一部に拡大して示すように、Ｒ面加工を施すことにより、つなぎコード６の挿入を容易にしている。
【００１９】
図２（ａ），（ｂ）において、前記紐通し孔３にはつなぎコード６が挿通される一方で、挟持溝２には、ネックストラップ７の先端が挿通される。ネックストラップ７は平織のテープ状をなし、２つ合せした状態でその厚みは挟持溝２の溝幅とほぼ等しく、かつ取付具１の幅にほぼ等しい幅寸法となっている。
【００２０】
そして、ネックストラップ７の挿通後は、前記固定孔５には時計ネジなどの精密ネジなどよりなる固定具８がねじ込まれ、このネジ固定具８の挿通先端はネックストラップ７を貫通した状態で相手方の溝壁で止り、これによってネックストラップ７を挟持溝２内に固定することができる。
【００２１】
次に以上の構成において、前記つなぎコード６の取付具１に対する取付手順について、図３を用いて説明する。まず（ａ）に示すように、紐通し孔３に２つに束ねたつなぎコード６を挿通する。次いで、（ｂ）に示すように、つなぎコード６の取付具１からの突出部上端を結び、その結び目のこぶ６ａを作る。このとき、こぶ６ａからの突出先端が長いならば、鋏などで切り落す。次いで（ｃ）に示すようにつなぎコード６の下部ループ端を下方に引張ることによって、こぶ６ａは引き締められ、凹部４の内底面内に位置し、その先端は挟持溝２の底面と面一になる。
【００２２】
したがって、この状態でネックストラップ７を挟持溝２に差込めば、その切り放し端部が溝底面に一致した状態で嵌合され、最終的に図２（ｂ）に示すように、ネックストラップ７を精度良く取付具に固定できるのである。
なお、以上の実施形態では、前記ネックストラップの固定手段としてこれを貫通するネジを用いたが、挟持溝２の両側をカシメ付けても良いことも勿論である。
【図面の簡単な説明】
【００２３】
【図１】本考案に係るネックストラップ用取付具の平面図、底面図、断面図及び側面図である。
【図２】（ａ），（ｂ）は同取付具とネックストラップ及びつなぎコードとの関係を示す分解及び組立斜視図である。
【図３】（ａ），（ｂ），（ｃ）は同取付具に対するつなぎコードの連結手順を示す説明用断面図である。
【図４】従来の取付具の不具合点を示す説明用断面図である。
【符号の説明】
【００２４】
１  取付具、１ａ  挟持片、１ｂ  底片
２  挟持溝
３  紐通し孔
４  凹部
５  固定孔
６  つなぎコード
７  ネックストラップ
８  固定具
【図１】
0003114588.tif 000003
【図２】
0003114588.tif 000004
【図３】
0003114588.tif 000005
【図４】
0003114588.tif 000006